【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
旅行用ガイド用データを作成するための旅行ガイドコンテンツ作成装置であって、旅行商品を特定するための旅行商品番号と前記旅行商品における少なくとも１つの立寄先及びその立寄時間とを含む旅程情報、並びに前記旅行商品の旅行可能期間を示す日程情報を含む旅行商品情報を記憶する旅行商品記憶手段と、前記立寄先の所在地を示す場所情報と前記立寄先に関する説明テキストと前記立寄先の画像と前記立寄先の立寄可能時間と前記立寄先で開催されるイベント情報とを含む立寄先情報、及び前記立寄先情報と関連付けられた代替立寄先情報を記憶するコンテンツ記憶手段と、前記旅行商品情報を表示するための表示情報を生成する表示情報生成手段と、前記表示された旅行商品情報に対応する旅行商品に対して申込みを行うための旅行申込手段と、前記申込みが行われた旅行商品の立寄時間に基づいて、前記コンテンツ記憶手段から前記立寄可能時間に応じた立寄先情報及び当該立寄先情報に関連付けられた代替立寄先情報の少なくとも一方を抽出して、該抽出した前記立寄先情報及び前記代替立寄先情報の少なくとも一方から前記旅行用ガイド用データを作成するコンテンツ作成手段とを備えることを特徴とする旅行ガイドコンテンツ作成装置。
【請求項２】
前記旅行用ガイド用データに対応する旅行用ガイドに掲載可能な広告の対象の所在地と前記広告の掲載期間と前記広告に関する広告テキストとを含む広告情報を複数記憶する広告情報記憶手段を備え、前記コンテンツ作成手段は、前記旅行用ガイドに対応する前記広告を掲載すべく、前記抽出された立寄先情報及び代替立寄先情報の少なくとも一方に関連する複数の広告情報を所定の優先順位に基づいて選択することを特徴とする請求項１記載の旅行ガイドコンテンツ作成装置。
【請求項３】
前記旅行用ガイドが奇数ページであるときは、前記旅行用ガイドが偶数ページとなるように前記立寄先情報及び前記代替立寄先情報の少なくとも一方に関連する広告情報を前記旅行用ガイド用データに追加する広告情報追加手段を備えることを特徴とする請求項２記載の旅行ガイドコンテンツ作成装置。
【請求項４】
旅行用ガイド用データを作成するための旅行ガイドコンテンツ作成装置を制御するための制御プログラムであって、旅行商品を特定するための旅行商品番号と前記旅行商品における少なくとも１つの立寄先及びその立寄時間とを含む旅程情報、並びに前記旅行商品の旅行可能期間を示す日程情報を含む旅行商品情報を記憶する旅行商品記憶モジュールと、前記立寄先の所在地を示す場所情報と前記立寄先に関する説明テキストと前記立寄先の画像と前記立寄先の立寄可能時間と前記立寄先で開催されるイベント情報とを含む立寄先情報、及び前記立寄先情報と関連付けられた代替立寄先情報を記憶するコンテンツ記憶モジュールと、前記旅行商品情報を表示するための表示情報を生成する表示情報生成モジュールと、前記表示された旅行商品情報に対応する旅行商品に対して申込みを行うための旅行申込モジュールと、前記申込みが行われた旅行商品の立寄時間に基づいて、前記コンテンツ記憶手段から前記立寄可能時間に応じた立寄先情報及び当該立寄先情報に関連付けられた代替立寄先情報の少なくとも一方を抽出して、該抽出した前記立寄先情報及び前記代替立寄先情報の少なくとも一方から前記旅行用ガイド用データを作成するコンテンツ作成モジュールとを備えることを特徴とする制御プログラム。
【手続補正２】
【補正対象書類名】明細書
【補正対象項目名】発明の名称
【補正方法】変更
【補正の内容】
【発明の名称】旅行ガイドコンテンツ作成装置及びその制御プログラム
【手続補正３】
【補正対象書類名】明細書
【補正対象項目名】０００１
【補正方法】変更
【補正の内容】
【０００１】
本発明は、旅行ガイドコンテンツ作成装置及びその制御プログラムに関し、特に、旅行ガイドブックなどのコンテンツを管理する旅行ガイドコンテンツ作成装置及びその制御プログラムに関する。
【手続補正４】
【補正対象書類名】明細書
【補正対象項目名】００１０
【補正方法】変更
【補正の内容】
【００１０】
本発明の第１の目的は、適切な旅行用ガイドを提供することができる旅行ガイドコンテンツ作成装置及びその制御プログラムを提供することにある。
【手続補正５】
【補正対象書類名】明細書
【補正対象項目名】００１１
【補正方法】変更
【補正の内容】
【００１１】
本発明の第２の目的は、適切に広告を抽出した旅行用ガイドを提供することができる旅行ガイドコンテンツ作成装置及びその制御プログラムを提供することにある。
【手続補正６】
【補正対象書類名】明細書
【補正対象項目名】００１２
【補正方法】変更
【補正の内容】
【００１２】
上記第１の目的を達成するために、請求項１記載の旅行ガイドコンテンツ作成装置は、旅行用ガイド用データを作成するための旅行ガイドコンテンツ作成装置であって、旅行商品を特定するための旅行商品番号と前記旅行商品における少なくとも１つの立寄先及びその立寄時間とを含む旅程情報、並びに前記旅行商品の旅行可能期間を示す日程情報を含む旅行商品情報を記憶する旅行商品記憶手段と、前記立寄先の所在地を示す場所情報と前記立寄先に関する説明テキストと前記立寄先の画像と前記立寄先の立寄可能時間と前記立寄先で開催されるイベント情報とを含む立寄先情報、及び前記立寄先情報と関連付けられた代替立寄先情報を記憶するコンテンツ記憶手段と、前記旅行商品情報を表示するための表示情報を生成する表示情報生成手段と、前記表示された旅行商品情報に対応する旅行商品に対して申込みを行うための旅行申込手段と、前記申込みが行われた旅行商品の立寄時間に基づいて、前記コンテンツ記憶手段から前記立寄可能時間に応じた立寄先情報及び当該立寄先情報に関連付けられた代替立寄先情報の少なくとも一方を抽出して、該抽出した前記立寄先情報及び前記代替立寄先情報の少なくとも一方から前記旅行用ガイド用データを作成するコンテンツ作成手段とを備えることを特徴とする。
【手続補正７】
【補正対象書類名】明細書
【補正対象項目名】００１３
【補正方法】変更
【補正の内容】
【００１３】
請求項２記載の旅行ガイドコンテンツ作成装置は、請求項１記載の旅行ガイドコンテンツ作成装置において、前記旅行用ガイド用データに対応する旅行用ガイドに掲載可能な広告の対象の所在地と前記広告の掲載期間と前記広告に関する広告テキストとを含む広告情報を複数記憶する広告情報記憶手段を備え、前記コンテンツ作成手段は、前記旅行用ガイドに対応する前記広告を掲載すべく、前記抽出された立寄先情報及び代替立寄先情報の少なくとも一方に関連する複数の広告情報を所定の優先順位に基づいて選択することを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
請求項３記載の旅行ガイドコンテンツ作成装置は、請求項２記載の旅行ガイドコンテンツ作成装置において、前記旅行用ガイドが奇数ページであるときは、前記旅行用ガイドが偶数ページとなるように前記立寄先情報及び前記代替立寄先情報の少なくとも一方に関連する広告情報を前記旅行用ガイド用データに追加する広告情報追加手段を備えることを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
上記第１の目的を達成するために、請求項４記載の制御プログラムは、旅行用ガイド用データを作成するための旅行ガイドコンテンツ作成装置を制御するための制御プログラムであって、旅行商品を特定するための旅行商品番号と前記旅行商品における少なくとも１つの立寄先及びその立寄時間とを含む旅程情報、並びに前記旅行商品の旅行可能期間を示す日程情報を含む旅行商品情報を記憶する旅行商品記憶モジュールと、前記立寄先の所在地を示す場所情報と前記立寄先に関する説明テキストと前記立寄先の画像と前記立寄先の立寄可能時間と前記立寄先で開催されるイベント情報とを含む立寄先情報、及び前記立寄先情報と関連付けられた代替立寄先情報を記憶するコンテンツ記憶モジュールと、前記旅行商品情報を表示するための表示情報を生成する表示情報生成モジュールと、前記表示された旅行商品情報に対応する旅行商品に対して申込みを行うための旅行申込モジュールと、前記申込みが行われた旅行商品の立寄時間に基づいて、前記コンテンツ記憶手段から前記立寄可能時間に応じた立寄先情報及び当該立寄先情報に関連付けられた代替立寄先情報の少なくとも一方を抽出して、該抽出した前記立寄先情報及び前記代替立寄先情報の少なくとも一方から前記旅行用ガイド用データを作成するコンテンツ作成モジュールとを備えることを特徴とする。
【手続補正１７】
【補正対象書類名】明細書
【補正対象項目名】００２３
【補正方法】変更
【補正の内容】
【００２３】
請求項１記載の旅行ガイドコンテンツ作成装置、又は請求項４記載の制御プログラムによれば、申込みが行われた旅行商品の立寄時間に基づいて立寄可能時間に応じた立寄先情報及び当該立寄先情報に関連付けられた代替立寄先情報の少なくとも一方を抽出して、旅行用ガイド用データを作成するので、適切な旅行用ガイドを提供することができる。
【手続補正１８】
【補正対象書類名】明細書
【補正対象項目名】００２４
【補正方法】変更
【補正の内容】
【００２４】
請求項２記載の旅行ガイドコンテンツ作成装置によれば、旅行用ガイド用データに対応する旅行用ガイドに対応する広告を掲載すべく、抽出された立寄先情報及び代替立寄先情報の少なくとも一方に関連する複数の広告情報を所定の優先順位に基づいて選択するので、適切に広告を抽出した旅行用ガイドを提供することができる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
請求項３記載の旅行ガイドコンテンツ作成装置によれば、旅行用ガイドが奇数ページであるときは、旅行用ガイドが偶数ページとなるように広告情報を旅行用ガイド用データに追加するので、情報効率が優れ、見易い適切な旅行用ガイドを提供することができる。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３３
【補正方法】変更
【補正の内容】
【００３３】
図１は、本発明の実施の形態に係る旅行ガイドコンテンツ作成装置を含むコンテンツ管理システムの構成を概略的に示すブロック図である。
【手続補正２７】
【補正対象書類名】明細書
【補正対象項目名】０１３０
【補正方法】変更
【補正の内容】
【０１３０】
本発明の実施の形態に係る旅行ガイドコンテンツ作成装置を含むコンテンツ管理システム１は、電子ガイドブックや電子パンフレットなどにおいてコンテンツとしての旅行商品を管理する旅行商品管理システムとして利用することができる。
【手続補正２８】
【補正対象書類名】明細書
【補正対象項目名】０１３１
【補正方法】変更
【補正の内容】
【０１３１】
【図１】本発明の実施の形態に係る旅行ガイドコンテンツ作成装置を含むコンテンツ管理システムの構成を概略的に示すブロック図である。
【図２】図１におけるコンテンツ管理サーバ１００の構成を概略的に示すブロック図である。
【図３】図１におけるコンテンツ登録用端末１５０の構成を概略的に示すブロック図である。
【図４】図１のコンテンツ管理システム１００によって実行されるコンテンツ管理処理のフローチャートである。
【図５】図４におけるステップＳ３０１のコンテンツ登録処理のサブルーチンを示すフローチャートである。
【図６】図４におけるステップＳ３０１のコンテンツチェック処理のサブルーチンを示すフローチャートである。
【図７】図６のコンテンツチェック処理において表示される旅行商品検索画面の一例を示す図である。
【図８】図６のコンテンツチェック処理において表示されるパンフレット検索結果一覧表示画面の一例を示す図である。
【図９】図６のコンテンツチェック処理において表示されるパンフレット表示画面の一例を示す図である。
【図１０】図６のコンテンツチェック処理において表示される編集画面の一例を示す図である。
【図１１】図６のコンテンツチェック処理において表示されるコンテンツ検索画面の一例を示す図である。
【図１２】図６のコンテンツチェック処理において表示されるコンテンツ検索結果一覧表示画面の一例を示す図である。
【図１３】図４におけるステップＳ３０３のガイドブックデータ作成処理のサブルーチンを示すフローチャートである。
【図１４】図４におけるステップＳ３０４の検索・申込処理のサブルーチンを示すフローチャートである。
【図１５】図１４の検索・申込処理において表示される旅行商品表示画面の一例を示す図である。
【図１６】図４におけるステップＳ３０５のガイドブック印刷処理のサブルーチンを示すフローチャートである。
【図１７】図１６のステップＳ８２９の印刷履歴データ作成処理において作成される印刷履歴データの構成の一例を示す図である。